(57)【要約】【課題】  モーゼ効果を利用した焦点可変の流動体レンズを提供する。【解決手段】  円柱状の封入容器１１と、封入容器１１の円周方向に巻回された円筒状の空芯コイル１２とを備えている。封入容器１１には、非磁性流動体物質１３，１４が封入されており、これら非磁性流動体物質１３，１４の体積磁化率及び屈折率が互いに異なっている。本発明によれば、空芯コイル１２の中空部に封入容器１１を配置し、この封入容器１１内に非磁性流動体物質１３，１４を封入した構成を有していることから、レンズとなる封入容器１１の主面１１ａ，１１ｂを遮ることなく、光路を確保することが可能となる。また、空芯コイル１２は、封入容器１１の円周方向に巻回されることから、比較的大きな磁場勾配を生じさせることが可能となる。これにより、焦点距離の可変範囲を比較的大きくすることが可能となる。【選択図】          図１
2006208661.tif 000002
【特許請求の範囲】
【請求項１】
中空部が光路となる空芯コイルと、少なくとも一部が前記空芯コイルの前記中空部に配置された少なくとも一つの封入容器と、同じ封入容器内に封入された複数種類の非磁性流動体物質とを備え、前記複数種類の非磁性流動体物質は、体積磁化率及び屈折率が互いに異なることを特徴とする流動体レンズ。
【請求項２】
前記複数種類の非磁性流動体物質は、比重が互いにほぼ同じであることを特徴とする請求項１に記載の流動体レンズ。
【請求項３】
前記複数種類の非磁性流動体物質は互いに接触しており、互いに混ざり合わない性質を有していることを特徴とする請求項１又は２に記載の流動体レンズ。
【請求項４】
前記少なくとも一つの封入容器は、光路方向に配置され内部が互いに隔離された第１及び第２の封入容器を含んでおり、前記複数種類の非磁性流動体物質は、前記第１及び第２の封入容器にそれぞれ封入されていることを特徴とする請求項１乃至３のいずれか１項に記載の流動体レンズ。
【請求項５】
前記第１の封入容器に封入された前記複数種類の非磁性流動体物質の体積磁化率の大小関係と、前記第２の封入容器に封入された前記複数種類の非磁性流動体物質の体積磁化率の大小関係は、前記光路に沿った一方向にみて、互いに逆であることを特徴とする請求項４に記載の流動体レンズ。
【請求項６】
前記封入容器の外周部近傍に磁気ギャップを形成するヨークをさらに備えることを特徴とする請求項１乃至５のいずれか１項に記載の流動体レンズ。
【請求項７】
前記ヨークを介して磁気バイアスを与える永久磁石をさらに備えることを特徴とする請求項６に記載の流動体レンズ。
【発明の詳細な説明】
【技術分野】
【０００１】
本発明は流動体レンズに関し、特に、モーゼ効果を利用した流動体レンズに関する。
【背景技術】
【０００２】
従来より、液体などの流動体に磁界を与えることによって液面形状が変化する現象が知られており、この現象は一般に「モーゼ効果」と呼ばれている。しかしながら、モーゼ効果による液面の変化は極めて僅かであるため、モーゼ効果を実用的に利用することは困難であると考えられていた。これは、非磁性流動体物質と空気との比重差が非常に大きいため、重力の影響を強く受けることが主な原因である。
【０００３】
この点に着目し、本出願人の特許出願にかかる特許文献１には、複数種類の非磁性流動体物質を用いることによって液面の変化を拡大する方法が開示されている。複数種類の非磁性流動体物質を用いれば、両者の比重差を非常に小さくすることができるため、比較的弱い磁界によって複数種類の非磁性流動体物質の界面を大きく変化させることが可能となる。
【特許文献１】特開平８−３２３１９２号公報
【発明の開示】
【発明が解決しようとする課題】
【０００４】
モーゼ効果によって得られる界面変化をどのように活用すれば実用的に利用できるのか、これまで必ずしも明らかではなかったが、本発明者らは、これを焦点可変の流動体レンズとしての利用が好適であることを見いだした。しかしながら、レンズとして機能させるためには、光がレンズ内を通過できるよう、光路を確保した構造とする必要がある。しかも、焦点可変量を大きくするためには、絶対的な磁界の大きさだけではなく、レンズ内における磁界の差（磁場勾配）を大きくする必要もある。
【０００５】
したがって、本発明は、モーゼ効果を利用した焦点可変の流動体レンズであって、光路を確保した構造を有する流動体レンズを提供することを目的とする。
【０００６】
また、本発明の他の目的は、モーゼ効果を利用した焦点可変の流動体レンズであって、大きな磁場勾配を形成可能な流動体レンズを提供することである。
【課題を解決するための手段】
【０００７】
本発明による流動体レンズは、中空部が光路となる空芯コイルと、少なくとも一部が前記空芯コイルの前記中空部に配置された少なくとも一つの封入容器と、同じ封入容器内に封入された複数種類の非磁性流動体物質とを備え、前記複数種類の非磁性流動体物質は、体積磁化率及び屈折率が互いに異なることを特徴とする。
【０００８】
本発明によれば、空芯コイルの中空部に封入容器を配置し、この封入容器内に複数種類の非磁性流動体物質を封入した構成を有していることから、レンズとなる封入容器の主面を遮ることなく、光路を確保することが可能となる。また、空芯コイルは、封入容器の円周方向に巻回されることから、比較的大きな磁場勾配を生じさせることが可能となる。これにより、焦点距離の可変範囲を比較的大きくすることが可能となる。
【０００９】
本発明において、複数種類の非磁性流動体物質は、比重が互いにほぼ同じであることが好ましい。これによれば、重力の影響をほとんど受けることなく、モーゼ効果による大きな界面変化を得ることが可能となる。
【００１０】
また、複数種類の非磁性流動体物質は互いに接触しており、互いに混ざり合わない性質を有していることが好ましい。これによれば、両者の界面に分離膜など界面変化の抵抗となる部材を介在させる必要がないことから、このような部材の存在によって界面変化が抑制されることがない。
【００１１】
また、前記少なくとも一つの封入容器は、光路方向に配置され内部が互いに隔離された第１及び第２の封入容器を含んでおり、複数種類の非磁性流動体物質は、第１及び第２の封入容器にそれぞれ封入されていることが好ましい。これによれば、第１及び第２の封入容器内においてそれぞれモーゼ効果が発現することから、より大きなレンズ効果を得ることが可能となる。
【００１２】
この場合、第１の封入容器に封入された複数種類の非磁性流動体物質の体積磁化率の大小関係と、第２の封入容器に封入された複数種類の非磁性流動体物質の体積磁化率の大小関係は、光路に沿った一方向にみて、互いに逆であることが好ましい。これによれば、第１の封入容器内における界面変化の方向と、第２の封入容器内における界面変化の方向が、光路に沿った前記一方向にみて逆となることから、より大きなレンズ効果を得ることが可能となる。
【００１３】
また、本発明による流動体レンズは、封入容器の外周部近傍に磁気ギャップを形成するヨークをさらに備えることが好ましい。これによれば、磁気ギャップによって、磁束が封入容器の外周部近傍に集中することから、非常に強い磁界が印加されるとともに、大きな磁場勾配が生じることになる。これにより、大きなモーゼ効果を得ることができるので、界面の非常に大きく変化させることが可能となる。
【００１４】
また、本発明による流動体レンズは、ヨークを介して磁気バイアスを与える永久磁石をさらに備えることが好ましい。これによれば、空芯コイルに電流を流していないニュートラルな状態においても、所定のレンズ効果を維持することが可能となる。
【発明の効果】
【００１５】
このように、本発明によれば、レンズとなる封入容器の主面を遮ることなく、光路を確保することが可能となることから、モーゼ効果を利用した焦点可変の流動体レンズを提供することが可能となる。また、封入容器内に比較的大きな磁場勾配を生じさせることが可能となることから、焦点距離の可変範囲も比較的大きくなる。
【発明を実施するための最良の形態】
【００１６】
以下、添付図面を参照しながら、本発明の好ましい実施の形態について詳細に説明する。
【００１７】
図１は、本発明の第１の実施形態による流動体レンズ１０の構成を示す図であり、（ａ）は略平面図、（ｂ）はＡ−Ａ線に沿った略断面図である。
【００１８】
図１に示すように、本実施形態による流動体レンズ１０は、円柱状の封入容器１１と、封入容器１１の円周方向に巻回された円筒状の空芯コイル１２とを備えている。つまり、本実施形態による流動体レンズ１０は、封入容器１１の全体が空芯コイル１２の中空部に配置された構造を有している。封入容器１１は、レンズとしての実使用時における光路上に配置されており、したがって、封入容器１１のうち少なくとも光を通過する主面１１ａ，１１ｂについては、ガラスなど可視光線に対して透過率の高い材料を用いる必要がある。
【００１９】
封入容器１１の内部には、非磁性流動体物質１３，１４が封入されている。「非磁性流動体物質」とは、反磁性又は常磁性を有する液体などの流動体を指す。「反磁性」とは、体積磁化率χが負の値（χ＜０）である物質の性質をいい、このような性質を有する物質としては、ほとんどすべての有機溶媒、例えば炭化水素、アルコール、ケトン、ベンゼン、テトラヒドロフラン等の有機溶媒、さらには、水、二硫化炭素、液体アンモニアなどの無機液体等が該当する。一方、「常磁性」とは、体積磁化率χが正の値（χ＞０）である物質の性質をいい、このような性質を有する物質としては、硫酸銅水溶液など、反磁性体中に遷移金属イオンないし遷移金属錯体分子を溶質として含む溶液あるいはラジカルを溶質として含む溶液等が該当する。
【００２０】
非磁性流動体物質１３，１４としては、体積磁化率χ及び屈折率ｎが互いに異なる物質を用いる必要がある。これは、体積磁化率χに差がなければモーゼ効果が発現しないからであり、屈折率ｎに差がなければレンズとして機能しないからである。したがって、非磁性流動体物質１３の体積磁化率をχ１３とし、非磁性流動体物質１４の体積磁化率をχ１４とした場合、体積磁化率の差△χ（＝｜χ１３−χ１４｜）はできるだけ大きいことが好ましい。具体的な数値を挙げると、０．１〜２Ｔ程度の磁場印加により有意の界面変化を生じさせるためには、体積磁化率の差△χを１×１０−８以上、より好ましくは１×１０−７〜１×１０−３、さらに好ましくは１×１０−７〜１×１０−５程度とすればよい。
【００２１】
また、非磁性流動体物質１３の屈折率をｎ１３とし、非磁性流動体物質１４の屈折率をｎ１４とした場合、屈折率の差△ｎ（＝｜ｎ１３−ｎ１４｜）についても、できるだけ大きいことが好ましい。
【００２２】
体積磁化率については、両者に差がある限り、いずれも正の値であっても構わないし（χ１３＞０，χ１４＞０）、いずれも負の値であっても構わない（χ１３＜０，χ１４＜０）。もちろん、一方が正の値で他方が負の値であっても構わない（χ１３＞０，χ１４＜０、又は、χ１３＜０，χ１４＞０）。非磁性流動体物質１３，１４の体積磁化率の絶対値｜χ｜は、１×１０−１以下、特に１×１０−４以下であることが好ましい。
【００２３】
また、非磁性流動体物質１３，１４としては、比重ρができるだけ近いことが好ましく、ほぼ同じであることが最も好ましい。つまり、非磁性流動体物質１３の比重をρ１３とし、非磁性流動体物質１４の比重をρ１４とした場合、比重の差△ρ（＝｜ρ１３−ρ１４｜）ができるだけ小さいことが好ましい。これは、比重の差△ρが大きくなればなるほど、重力による影響が大きくなるため、モーゼ効果による界面変化が抑制されるからである。具体的な数値を挙げると、０．１〜２Ｔ程度の磁場印加により有意の界面変化を生じさせるためには、｜△ρ｜は、０〜１ｇ／ｃｍ３程度、特に０〜０．１ｇ／ｃｍ３であることが好ましい。したがって、「非磁性流動体物質１３，１４の比重ρがほぼ同じ」とは、比重の差△ρが０．１ｇ／ｃｍ３以下であることを意味し、△ρが０．１ｇ／ｃｍ３以下であれば、重力による影響をほとんど無視することができる。
【００２４】
より大きな界面変化を得るためには、
｜△χ／△ρ｜＞｜χ１３／ρ１３｜、且つ
｜△χ／△ρ｜＞｜χ１４／ρ１４｜
であることが好ましい。０．１〜２Ｔ程度の磁場印加により有意の界面変化を生じさせるためには、｜△χ／△ρ｜は１×１０−４ｃｍ３ｇ−１程度以上、特に１×１０−３ｃｍ３ｇ−１程度であることが好ましい。
【００２５】
また、非磁性流動体物質１３，１４は、互いに混ざり合わない性質を有していることが好ましい。これによれば、両者の界面に分離膜など界面変化の抵抗となる部材を介在させる必要がなく、そのまま両者を接触させることが可能となる。
【００２６】
図１に示す例では、非磁性流動体物質１３が上側（主面１１ａ側）、非磁性流動体物質１４が下側（主面１１ｂ側）に位置しているが、このような状態を保つ方法としては、例えば、封入容器１１の主面１１ａの内壁に非磁性流動体物質１３と親和性の高い材料を塗布し、封入容器１１の主面１１ｂの内壁に非磁性流動体物質１４と親和性の高い材料を塗布する方法などが考えられる。或いは、封入容器１１の主面１１ａの内壁に非磁性流動体物質１４に対して反親和性を持つ材料を塗布し、封入容器１１の主面１１ｂの内壁に非磁性流動体物質１３に対して反親和性を持つ材料を塗布する方法も考えられる。
【００２７】
次に、本実施形態による流動体レンズ１０の機能について説明する。
【００２８】
上述のとおり、空芯コイル１２は、封入容器１１の円周方向に巻回されているため、空芯コイル１２に電流を流すと、図２に示すような磁界Ｍが発生する。この場合、磁束密度は空芯コイル１２に近いほど高くなるため、封入容器１１に封入された非磁性流動体物質１３，１４の界面１５に生じる磁界Ｍは、空芯コイル１２に近い外周部ほど強く、空芯コイル１２から遠い中心部ほど弱くなる。つまり、非磁性流動体物質１３，１４の界面１５には磁場勾配が生じることになる。
【００２９】
これにより、例えば、非磁性流動体物質１３の体積磁化率（χ１３）よりも非磁性流動体物質１４の体積磁化率（χ１４）の方が大きい場合、モーゼ効果によって、非磁性流動体物質１３の中央部が盛り上がり、非磁性流動体物質１４の外周部が盛り上がることになる（図２参照）。そして、非磁性流動体物質１３，１４は互いに屈折率ｎが異なっていることから、かかる界面変化によってレンズ効果が生じ、焦点距離が変化することになる。
【００３０】
焦点距離は、空芯コイル１２に流す電流量によって変化させることができる。つまり、空芯コイル１２に流す電流量を変化させれば、磁界Ｍの絶対値が変化するとともに、界面１５に生じる磁場勾配も変化することから、空芯コイル１２に流す電流量によって界面１５の変化状態を制御することができる。このため、空芯コイル１２に流す電流量を変えることにより、焦点距離を変化させることが可能となる。
【００３１】
このように、本実施形態による流動体レンズ１０は、封入容器１１の円周方向に巻回された空芯コイル１２を用いて非磁性流動体物質１３，１４に磁界Ｍを印加する構成であることから、封入容器１１の主面１１ａ，１１ｂを遮ることなく、光路を確保することが可能となる。
【００３２】
しかも、空芯コイル１２は、封入容器１１の円周方向に巻回されているため、非磁性流動体物質１３，１４の界面１５に、比較的大きな磁場勾配を生じさせることが可能となる。これにより、焦点距離の可変範囲を比較的大きくすることが可能となる。
【００３３】
次に、本発明の第２の実施形態について説明する。
【００３４】
図３は、本発明の第２の実施形態による流動体レンズ２０の構成を示す図であり、（ａ）は略平面図、（ｂ）はＢ−Ｂ線に沿った略断面図である。
【００３５】
図３に示すように、本実施形態による流動体レンズ２０は、第１の封入容器２１ａと、第２の封入容器２１ｂと、第１及び第２の封入容器２１ａ，２１ｂの円周方向に巻回された空芯コイル２２とを備えている。つまり、本実施形態による流動体レンズ２０は、上述した流動体レンズ１０に含まれる封入容器１１を光路方向に２つ並べた構成を有している。
【００３６】
第１の封入容器２１ａの内部には、非磁性流動体物質２３ａ，２４ａが封入されており、第２の封入容器２１ｂの内部には、非磁性流動体物質２３ｂ，２４ｂが封入されている。非磁性流動体物質２３ａ，２４ａの関係、並びに、非磁性流動体物質２３ｂ，２４ｂの関係は、いずれも第１の実施形態における非磁性流動体物質１３，１４の関係と同じである。したがって、非磁性流動体物質２３ａ，２４ａとしては、体積磁化率χ及び屈折率ｎが互いに異なる物質を用いる必要があり、非磁性流動体物質２３ｂ，２４ｂについても、体積磁化率χ及び屈折率ｎが互いに異なる物質を用いる必要がある。また、体積磁化率の差△χはできるだけ大きいことが好ましく、屈折率の差△ｎについてもできるだけ大きいことが好ましい。比重の差△ρについてもできるだけ小さいことが好ましく、両者の比重ρがほぼ同じであることが特に好ましい。
【００３７】
尚、非磁性流動体物質２３ａ，２３ｂについては体積磁化率χ及び屈折率ｎが互いに同じであってもよく、非磁性流動体物質２４ａ，２４ｂについても体積磁化率χ及び屈折率ｎが互いに同じであってもよい。
【００３８】
本実施形態では、非磁性流動体物質２３ａ，２４ａの体積磁化率χの大小関係と、非磁性流動体物質２３ｂ，２４ｂの体積磁化率χの大小関係は、光路に沿った一方向にみて互いに逆であることが好ましい。つまり、非磁性流動体物質２３ａの体積磁化率よりも非磁性流動体物質２４ａの体積磁化率の方が大きいのであれば、非磁性流動体物質２３ｂの体積磁化率よりも非磁性流動体物質２４ｂの体積磁化率を大きくすることが好ましい。
【００３９】
この条件は、外側に位置する非磁性流動体物質２３ａ，２３ｂとして同じ物質を用い、内側に位置する非磁性流動体物質２４ａ，２４ｂとして同じ物質を用いることにより満足することができる。したがって、この状態を保つためには、例えば、封入容器２１ａの主面２５の内壁及び封入容器２１ｂの主面２７に、非磁性流動体物質２３ａ，２３ｂと親和性の高い材料を塗布し、封入容器２１ａの主面２６の内壁及び封入容器２１ｂの主面２８に、非磁性流動体物質２４ａ，２４ｂと親和性の高い材料を塗布すればよい。或いは、封入容器２１ａの主面２５の内壁及び封入容器２１ｂの主面２７に、非磁性流動体物質２４ａ，２４ｂに対して反親和性を持つ材料を塗布し、封入容器２１ａの主面２６の内壁及び封入容器２１ｂの主面２８に、非磁性流動体物質２３ａ，２３ｂに対して反親和性を持つ材料を塗布しても構わない。
【００４０】
このような構成を有する流動体レンズ２０についても、空芯コイル２２が第１及び第２の封入容器２１ａ，２１ｂの円周方向に巻回されているため、空芯コイル２２に電流を流すと、図３に示すような磁界Ｍが発生し、これにより界面変化が生じる。ここで、非磁性流動体物質２３ａ，２４ａの体積磁化率χの大小関係と、非磁性流動体物質２３ｂ，２４ｂの体積磁化率χの大小関係が、光路に沿った一方向にみて互いに逆であれば、図３に示すように、界面変化の方向が光路に沿った一方向にみて逆、すなわち対称形となることから、より大きなレンズ効果を得ることが可能となる。
【００４１】
このように、本実施形態による流動体レンズ２０は、２つの封入容器２１ａ，２１ｂを光路方向に並べた構成を有していることから、より大きなレンズ効果を得ることが可能となる。
【００４２】
次に、本発明の第３の実施形態について説明する。
【００４３】
図４は、本発明の第３の実施形態による流動体レンズ３０の構成を示す図であり、（ａ）は略平面図、（ｂ）はＣ−Ｃ線に沿った略断面図である。
【００４４】
図４に示すように、本実施形態による流動体レンズ３０は、封入容器３１と、封入容器３１の円周方向に配置された巻線用ボビン３５と、巻線用ボビン３５に巻回された空芯コイル３２と、空芯コイル３２を覆うヨーク３６とを備えている。
【００４５】
封入容器３１の内部には、非磁性流動体物質３３，３４が封入されている。非磁性流動体物質３３，３４の関係は、第１の実施形態における非磁性流動体物質１３，１４の関係と同じであり、したがって、体積磁化率χ及び屈折率ｎが互いに異なる物質を用いる必要がある。また、体積磁化率の差△χはできるだけ大きいことが好ましく、屈折率の差△ｎについてもできるだけ大きいことが好ましい。比重の差△ρについてもできるだけ小さいことが好ましく、両者の比重ρがほぼ同じであることが特に好ましい。
【００４６】
ヨーク３６は、空芯コイル３２の円周方向外側に配置されたリング状の外側部分３６ａと、空芯コイル３２の軸方向の一方に配置されたリング状の上側部分３６ｂと、空芯コイル３２の軸方向の他方に配置されたリング状の下側部分３６ｃとを有しており、上側部分３６ｂの端部は封入容器３１の外周部の一端（上側）に配置され、下側部分３６ｃの端部は封入容器３１の外周部の他端（下側）に配置されている。上側部分３６ｂと下側部分３６ｃは「磁気ギャップ」を形成しており、これにより、封入容器３１内を通る磁束は、封入容器３１の外周部近傍に集中し、封入容器３１の中心部にはほとんど磁束が通らない。
【００４７】
かかる構成により、空芯コイル３２に電流を流すと、図４に示すような磁界Ｍが発生し、これにより界面変化が生じる。しかも、ヨーク３６により形成された磁気ギャップによって、磁束が封入容器３１の外周部近傍に集中することから、非常に強い磁界が印加されるとともに、大きな磁場勾配が生じることになる。これにより、大きなモーゼ効果を得ることができるので、界面を非常に大きく変化させることが可能となる。
【００４８】
このように、本実施形態による流動体レンズ３０は、ヨーク３６によって磁気ギャップを形成していることから、非常に大きなレンズ効果を得ることが可能となる。また、それほど大きなレンズ効果が必要でない場合には、巻線数を大幅に削減することが可能となる。
【００４９】
また、図５に示すように、ヨーク３６の外側部分３６ａを永久磁石３７に置き換え、例えば上側部分３６ｂをＮ極、下側部分３６ｃをＳ極とすれば、非磁性流動体物質３３，３４に磁気バイアスを与えることができる。これによれば、空芯コイル３２に電流を流していないニュートラルな状態においても、ヨーク３６を介して磁気バイアスが与えられることから、所定のレンズ効果を維持することが可能となる。
【００５０】
本発明は、以上説明した実施の形態に限定されることなく、特許請求の範囲に記載された発明の範囲内で種々の変更が可能であり、それらも本発明の範囲内に包含されるものであることはいうまでもない。
【００５１】
例えば、上記各実施形態においては、一つの封入容器に２種類の非磁性流動体物質を封入しているが、３種類以上の非磁性流動体物質を封入しても構わない。
【図面の簡単な説明】
【００５２】
【図１】本発明の第１の実施形態による流動体レンズ１０の構成を示す図であり、（ａ）は略平面図、（ｂ）はＡ−Ａ線に沿った略断面図である。
【図２】流動体レンズ１０の空芯コイル１２に電流を流した状態を示す図であり、（ａ）は略平面図、（ｂ）はＡ−Ａ線に沿った略断面図である。
【図３】本発明の第２の実施形態による流動体レンズ２０の構成を示す図であり、（ａ）は略平面図、（ｂ）はＢ−Ｂ線に沿った略断面図である。
【図４】本発明の第３の実施形態による流動体レンズ３０の構成を示す図であり、（ａ）は略平面図、（ｂ）はＣ−Ｃ線に沿った略断面図である。
【図５】流動体レンズ３０に含まれるヨーク３６の外側部分３６ａを永久磁石３７に置き換えた例を示す略断面図である。
【符号の説明】
【００５３】
１０，２０，３０    流動体レンズ
１１，２１ａ，２１ｂ，３１    封入容器
１１ａ，１１ｂ，２５〜２８      封入容器の主面
１２，２２，３２    空芯コイル
１３，１４，２３ａ，２４ａ，３３，３４    非磁性流動体物質
１５      界面
３５      巻線用ボビン
３６      ヨーク
３６ａ    ヨークの外側部分
３６ｂ    ヨークの上側部分
３６ｃ    ヨークの下側部分
３７      永久磁石
Ｍ        磁界
【図１】
2006208661.tif 000003
【図２】
2006208661.tif 000004
【図３】
2006208661.tif 000005
【図４】
2006208661.tif 000006
【図５】
2006208661.tif 000007